(57)【特許請求の範囲】
【請求項１】
電気回路部品が取り付けられたプリント配線基板が合成樹脂の保護ケースに収容された電気回路基板ユニットと、
複数の区画された収容室が形成された段ボール製の梱包箱を備え、
前記電気回路基板ユニットは取り付け壁面の外部側方に突出した取り付けフランジを備え、
前記梱包箱は、上面開口を塞ぐ開閉蓋付きの立方形状の外箱と、前記外箱内を複数の収容室に区画するよう前記外箱内に収容される主仕切り体を備え、
前記主仕切り体は、
前記外箱の左右内側面に沿う左右立壁と前記外箱の内底面とに沿う底壁が一体に段ボールで形成されたベース体と、
前記ベース体内を前後に複数の小室に区画するように左右両端部が前記左右立壁に所定間隔で支持される横仕切り体と、
それぞれの前記小室を左右配置の前記収容室に仕切るように前記横仕切り体の中央部に前後方向に交差する中仕切り体とを備え、
前記横仕切り体と交差する前記中仕切り体部分には、前記取り付けフランジが挿入される挿入溝が形成されたことを特徴とする電気回路基板ユニットの梱包装置。
【請求項２】
前記取り付けフランジが挿入される挿入溝は、前記横仕切り体を境として前記横仕切り体の前後に、前記中仕切り体に形成されたことを特徴とする請求項１に記載の電気回路基板ユニットの梱包装置。
【発明の詳細な説明】
【技術分野】
【０００１】
本発明は、電気回路部品が取り付けられたプリント配線基板が保護ケースに収容された
電気回路基板ユニットの梱包装置に関する。
【背景技術】
【０００２】
遊技制御に必要な電気部品の実装された回路基板が、内部を透視可能な制御筐体に格納
された構成の遊技制御装置１２１と、制御取り付け構造体１２２とからなる遊技制御ユニ
ット１１４が、構造基盤１３５と一体に、遊技制御梱包装置に複数に区画形成された収容
室１２へ入れられた状態の梱包装置が開示されている（特許文献１参照）。
【０００３】
この特許文献１では、遊技制御梱包装置は外箱１と仕切構造体１１とからなり、遊技制
御ユニット１１４と構造基盤１３５とが収容室１２に収容され、仕切構造体１１の一対の
支持片４７、５０の折り曲げによって、遊技制御装置１２１を押すことにより、遊技制御
ユニット１１４が収容室１２に移動しないように固定されるようになっている。
【先行技術文献】
【特許文献】
【０００４】
【特許文献１】特開２００７−００１５９２号公報
【発明の概要】
【発明が解決しようとする課題】
【０００５】
特許文献１のものは、上記のように、遊技制御梱包装置の区画された収容室１２に収容
されるものは、遊技制御ユニット１１４と構造基盤１３５のセットであり、これらを収容
室１２に収容した状態で、遊技制御梱包装置の仕切構造体１１の一対の支持片４７、５０
を折り曲げにより、遊技制御ユニット１１４が収容室１２に移動しないように固定される
ため、遊技制御ユニット１１４を収容室１２に収容するだけでは、安定収容状態とはなら
ず、仕切構造体１１の一対の支持片４７、５０の折り曲げ作業を行なわなければならない
、面倒な作業を伴う。
【０００６】
本発明は、このような点に鑑み、電気回路部品が取り付けられたプリント配線基板が保
護ケースに収容された電気回路基板ユニットの梱包装置において、特許文献１のような煩
雑な構成及び作業を伴うことなく、電気回路基板ユニットを段ボールで構成した梱包箱の
区画された収容室へ収容できる梱包装置を提供するものである。
【０００７】
特に、本発明に係る電気回路基板ユニットは、梱包装置から取り出した状態で、保護ケ
ースに形成された取り付けフランジを所定の箇所へネジ等によって取り付ける構成である
ため、本発明は、この取り付けフランジが損傷しないような収容姿勢でもって、梱包箱の
区画された収容室へ電気回路基板ユニットを収容保持できるようにすること、及び収容室
の側壁がこの取り付けフランジにより損傷を受けない収容状態となるようにすることによ
り、収容室内における電気回路基板ユニットを安定した状態に収容でき、梱包箱の破損等
が生じない収容状態とするものである。
【課題を解決するための手段】
【００１０】
第１発明は、電気回路部品が取り付けられたプリント配線基板が合成樹脂の保護ケースに収容された電気回路基板ユニットと、複数の区画された収容室が形成された段ボール製の梱包箱を備え、前記電気回路基板ユニットは取り付け壁面の外部側方に突出した取り付けフランジを備え、前記梱包箱は、上面開口を塞ぐ開閉蓋付きの立方形状の外箱と、前記外箱内を複数の収容室に区画するよう前記外箱内に収容される主仕切り体を備え、前記主仕切り体は、前記外箱の左右内側面に沿う左右立壁と前記外箱の内底面とに沿う底壁が一体に段ボールで形成されたベース体と、前記ベース体内を前後に複数の小室に区画するように左右両端部が前記左右立壁に所定間隔で支持される横仕切り体と、それぞれの前記小室を左右配置の前記収容室に仕切るように前記横仕切り体の中央部に前後方向に交差する中仕切り体とを備え、前記横仕切り体と交差する前記中仕切り体部分には、前記取り付けフランジが挿入される挿入溝が形成されたことを特徴とする電気回路基板ユニットの梱包装置。
【００１１】
第２発明は、第１発明において、前記取り付けフランジが挿入される挿入溝は、前記横仕切り体を境として前記横仕切り体の前後に、前記中仕切り体に形成されたことを特徴とする電気回路基板ユニットの梱包装置。
【発明の効果】
【００１４】
第１発明は、外箱内を複数の収容室に区画する主仕切り体において、横仕切り体と交差する中仕切り体部分に、取り付けフランジが挿入される挿入溝を形成したことにより、第２発明の効果に加えて、取り付けフランジが外箱の側面から遠い位置での収容となるため、外箱の側面が受ける衝撃から取り付けフランジを保護できるものとなる。また、カッターナイフで外箱の側面全周を切って梱包を開くことが行なわれても、カッターナイフによって取り付けフランジが損傷されることがない。
【００１５】
第２発明では、取り付けフランジが挿入される挿入溝は、横仕切り体を境として横仕切り体の前後に中仕切り体に形成されるため、中仕切り体で仕切られた左右の収容室に収容される電気回路基板ユニットの取り付け壁面及びフランジによって、横仕切り体が左右方向に直線状に保持され、第３発明同様の効果によって、電気回路基板ユニットの安定収容ができるものとなる。
【図面の簡単な説明】
【００１６】
【図１】本発明に係る梱包装置の電気回路基板ユニット収容状態を示す平面図である。
【図２】本発明に係る電気回路基板ユニットの斜視図である。
【図３】本発明に係る電気回路基板ユニットの側面図である。
【図４】本発明に係る梱包装置のベース体の組み立て状態の説明図である。
【図５】本発明に係る梱包装置の横仕切り体の斜視図である。
【図６】本発明に係る梱包装置を構成する主仕切り体の基本体の斜視図である。
【図７】本発明に係る梱包装置の中仕切り体の組み立て状態の説明図である。
【図８】本発明に係る梱包装置の中仕切り体と横仕切り体の組み合わせ状態を示す斜視図である。
【図９】本発明に係る仕切り体を外箱に収容して梱包箱を形成する組み立て状態の説明図である。
【図１０】本発明に係る梱包装置の外箱の斜視図である。
【図１１】本発明に係る梱包装置の梱包箱の斜視図である。
【図１２】本発明に係る梱包装置の斜視図である。
【図１３】本発明に係る梱包装置の梱包箱に電気回路基板ユニットを収容する状態の説明図である。
【図１４】本発明に係る梱包装置の他の実施形態を示す中仕切り体と横仕切り体の組み合わせ状態を示す斜視図である。
【発明を実施するための形態】
【００１７】
本発明に係る電気回路基板ユニットの梱包装置は、電気回路部品が取り付けられたプリ
ント配線基板が合成樹脂の保護ケースに収容された電気回路基板ユニットと、複数の区画
された収容室が形成された段ボール製の梱包箱を備え、前記電気回路基板ユニットは外部
に突出した取り付けフランジを形成しており、前記収容室内には前記電気回路基板ユニッ
トが前記収容室に挿入される方向に、前記取り付けフランジが挿入される挿入溝が形成さ
れたものであり、以下に本発明の実施例を記載する。
【実施例１】
【００１８】
本発明に係る電気回路基板ユニット１は、図２及び図３に示すように、半導体素子、コ
イル、コンデンサ、電気抵抗、放熱フィンＨ等の電気回路部品ＥＰが取り付けられたプリ
ント配線基板２が合成樹脂の透明な保護ケース３に収容された形態である。保護ケース３
は、電気回路部品ＥＰ及びプリント配線基板２を覆う裏面開口のケース本体部３Ａと、ケ
ース本体部３Ａの裏面開口を塞ぐようにケース本体部３Ａに取り付けた平板状の蓋３Ｂと
で構成している。ケース本体部３Ａと蓋３Ｂとは、ヒンジ部３Ｄにて開閉可能に結合され
たもの、または別体構成のケース本体部３Ａと蓋３Ｂとが結合されたもののいずれでもよ
い。電気回路基板ユニット１は、プリント配線基板２の裏側面に対応する面が平坦な取り
付け壁面１Ａを形成するように、平板状の裏板３Ｂがその取り付け壁面１Ａを形成してい
る。保護ケース３の外周側面の一部には、取り付け壁面１Ａの外部側方に突出するように
、蓋３Ｂに取り付けフランジ４が一体成形にて突出形成されている。
【００１９】
電気回路基板ユニット１は、取り付けフランジ４によって所定の箇所へ取り付けられる
ものであり、その取り付けは、取り付けフランジ４を貫通するネジによる固定、或いは取
り付けフランジ４を他の部材によって支持する固定等、種々選定される。アルミニウムで
もって複数の板状フィンを形成した放熱フィンＨを含む電気回路部品ＥＰから出る熱を放
散させるために、ケース本体部３Ａには複数の放熱孔３Ｃがスリット状に形成されている
。
【００２０】
電気回路基板ユニット１は、ダンボール製の梱包箱５の複数の区画された収容室６に収
納された状態に梱包される。梱包箱５は、上面開口８Ｐを塞ぐ開閉蓋８Ａ〜８Ｄを一体に
形成した立方形状（図１０に示すものは直方体）の外箱８と、外箱８内に複数の収容室６
を形成するよう外箱８内に収容される主仕切り体１０を備える。主仕切り体１０は、図９
に示すように、外箱８の左右側壁８Ｇ、８Ｈの内側面に沿う左右立壁７Ａ、７Ｂと外箱８
の内底面とに沿う底壁７Ｃが一体に段ボールで形成されたベース体７と、ベース体７内を
前後に複数の小室ＳＣに区画するように左右両端部が左右立壁７Ａ、７Ｂに所定間隔で支
持される横仕切り体９と、それぞれの小室ＳＣを左右配置の収容室６に仕切るように横仕
切り体９の中央部に前後方向に交差する中仕切り体１１とを備え、横仕切り体９と交差す
る中仕切り体１１の部分には、取り付けフランジ４が挿入される挿入溝１２が形成された
構成である。
【００２１】
主仕切り体１０の構成を具体的に説明する。先ずベース体７の形成について説明する。
図４（イ）に示すように、一枚の平板状の段ボール板７Ｐの左右両側に、一対の並行な折
り線Ｌ１、Ｌ２が形成され、左右両端部から所定寸法だけ内側に寄った位置には、内側の
折り線Ｌ１に達するように、所定ピッチＨ１でもってスリット７Ｑが形成されている。ま
た、左右の折り線Ｌ１の内側には底壁７Ｃの幅を保つための所定間隔Ｈ２を存して折り線
Ｌ３が形成されている。この構成において、左右両端を折り線Ｌ２で略直角に折り曲げ、
この折り曲げ状態から更に折り線Ｌ１で略直角に折り曲げる。この状態から更に折り線Ｌ
３で略直角に折り曲げることにより、図４（ロ）に示すように、所定間隔Ｈ２の幅を持つ
底壁７Ｃの両側に直立した左右立壁７Ａ、７Ｂを備えたベース体７が形成され、左右立壁
７Ａ、７Ｂ内には、幅Ｔ１の空間が形成される。
【００２２】
横仕切り体９は、図５に示すように、一枚の平板状の段ボール板で構成され、左右立壁
７Ａ、７Ｂに渡る長さでもって中央部にスリット９Ａが上端から所定の深さまで略垂直状
に形成されている。このスリット９Ａによって分割された左右の部分には、後述のように
収容室６に収容される電気回路基板ユニット１を指で掴むときの指逃げ部となる切り欠き
９Ｂが形成されている。また、左右両端部から左右立壁７Ａ、７Ｂ内の幅Ｔ１と同等また
は若干小さい所定寸法Ｔ２だけ内側に寄った位置には、下端から所定高さまでスリット９
Ｃが形成されている。更に、横仕切り体９の高さＨ４は、左右立壁７Ａ、７Ｂの高さＨ３
と同等である。
【００２３】
このように形成された横仕切り体９の左右端部のスリット９Ｃがベース体７の左右立壁
７Ａ、７Ｂのスリット７Ｑへ上方から嵌る関係でもって、横仕切り体９を左右立壁７Ａ、
７Ｂの上方から挿入する。これによって、左右立壁７Ａ、７Ｂ内の幅Ｔ１の空間内に横仕
切り体９の所定寸法Ｔ２の両端部分が侵入した状態となり、図６に示すように、横仕切り
体９の下端が底壁７Ｃに当接した状態で、横仕切り体９が左右立壁７Ａ、７Ｂと同等の高
さとなる。このため、スリット７Ｑの幅は横仕切り体９の板厚と略同じである。この横仕
切り体９の挿入によって、図６に示すように、ベース体７の左右立壁７Ａ、７Ｂ間には、
ベース体７内が横仕切り体９によって前後の複数の小室ＳＣに区画され、主仕切り体１０
の基本体１０Ｆが形成される。
【００２４】
中仕切り体１１は、図７（イ）に示すように、一枚の平板状の段ボール体１１Ｐの中央
部に、一対の並行な中央折り線Ｌ１１、Ｌ２２が形成され、その左右両側には並行な左右
折り線Ｌ３３が形成されている。そして、左右両端部から左右折り線Ｌ３３に向けて、所
定ピッチＨ１１でもってスリット１１Ｑが形成されている。また、左右折り線Ｌ３３に渡
る長さでもって幅の広いスリット１１Ｒが、所定ピッチＨ１１と同じピッチでもって形成
されている。この場合、スリット１１Ｒの中央部にスリット１１Ｑが対応する位置である
。
【００２５】
この構成において、図７（ロ）に示すように、中央折り線Ｌ２２及びこれに近い方の左
方の折り線Ｌ３３で左側端部を若干折り曲げ、この折り曲げを更に進めて、この左方の折
り線Ｌ３３で１８０度折り曲げると共に中央折り線Ｌ２２で略直角に折り曲げる。これに
よって図７（ハ）に示すように、左方の支持壁１１Ｙが形成される。次に図７（ニ）に示
すように、右方の折り線Ｌ３３で右側端部を略直角に折り曲げた後、この折り曲げを更に
進めて１８０度折り曲げとなし、図７（ホ）に示すように、右方の支持壁１１Ｚが形成さ
れる。この状態から中央折り線Ｌ１１で略直角に折り曲げることによって、図７（ヘ）に
示すように、左方の支持壁１１Ｙに右方の支持壁１１Ｚが重なり合って、中仕切り体１１
が形成される。
【００２６】
このように形成された中仕切り体１１は、主仕切り体１０の基本体１０Ｆへ組み込まれ
る。この組み込みは、横仕切り体９のスリット９Ａと中仕切り体１１のスリット１１Ｑが
交差状態で嵌合することによって、図９に示すように、それぞれの小室ＳＣが中仕切り体
１１によって左右配置の収容室６に仕切られた主仕切り体１０が形成される。図８にはこ
の組み合わせによる中仕切り体１１のスリット１１Ｒと、横仕切り体９との組み合わせ状
態を拡大で示している。これにおいて、横仕切り体９と交差する中仕切り体１１の部分に
は、スリット１１Ｒが横仕切り体９によって前後に分割され、取り付けフランジ４が挿入
される挿入溝１２が、横仕切り体９の前後に形成される。
【００２７】
このように形成された主仕切り体１０は、図９及び図１１に示すように、外箱８内に収
容され、梱包箱５が形成される。外箱８は段ボールで構成され、図１０に示すように、上
面開口８Ｐを塞ぐ開閉蓋８Ａ〜８Ｄを一体に形成した立方形状（図１０に示すものは直方
形状）である。主仕切り体１０を外箱８内に収容することによって、外箱８内に複数の収
容室６が形成された形態となる。主仕切り体１０を外箱８内に収容する関係上、主仕切り
体１０の外形寸法は、外箱８の内寸法と略同じか、若干主仕切り体１０の外形寸法が小さ
い。
【００２８】
このように形成された梱包箱５に対し、図１、図１２及び図１３に示すように、電気回
路基板ユニット１の取り付けフランジ４が、それぞれの収容室６に対応する挿入溝１２へ
挿入される関係でもって、電気回路基板ユニット１を収容室６に収容する。この場合、収
容室６内での電気回路基板ユニット１の遊び（ガタツキ）を少なくするために、主仕切り
体１０の左側の収容室６に収納される電気回路基板ユニット１の向きと、主仕切り体１０
の右側の収容室６に収納される電気回路基板ユニット１の向きが反対向きとなるように配
置している。
【００２９】
これによって、主仕切り体１０の左側の収容室６に収納された電気回路基板ユニット１
のフランジ４と、主仕切り体１０の右側の収容室６に収納された電気回路基板ユニット１
のフランジ４によって、横仕切り体９が中仕切り体１１のスリット１１Ｒの前後中央部に
保持され、且つ各電気回路基板ユニット１のフランジ４が、挿入溝１２内に保持されるた
め、収容室６内での電気回路基板ユニット１の遊び（ガタツキ）が少なく、電気回路基板
ユニット１のフランジ４の破損が抑制された安定収容が達成される。電気回路基板ユニッ
ト１を収容室６内に収容した状態で、外箱８の開閉蓋８Ａ〜８Ｄを重なり合わせ状態に閉
じ、開閉蓋８Ａ〜８Ｄをテープ止めすることにより、本発明の梱包装置が完成する。
【００３０】
このように、主仕切り体１０の左側の収容室６に収納される電気回路基板ユニット１の
向きと、主仕切り体１０の右側の収容室６に収納される電気回路基板ユニット１の向きが
反対向きとなる収容形態は、収容室６に収納したときの上面となる面に、例えば、図２に
示すような取り付け用等の突起３Ｆがある場合に有効である。この場合、収容室６の深さ
は、突起３Ｆの長さを含んだ電気回路基板ユニット１の高さ方向寸法と略同じまたは若干
大きい寸法である。
【００３１】
なお、このような突起３Ｆが無い形態では、主仕切り体１０の左側の収容室６に収納さ
れる電気回路基板ユニット１の向きと、主仕切り体１０の右側の収容室６に収納される電
気回路基板ユニット１の向きが、同じ向きになる収容形態とすることもできる。この場合
は、図１４に示すように、横仕切り体９が中仕切り体１１のスリット１１Ｒの前方側（ま
たは後方側）に偏った状態で配置され、スリット１１Ｒの後方側（または前方側）に挿入
溝１２が形成されるようにすればよい。これによって、主仕切り体１０の左側と右側の各
収容室６に収納される電気回路基板ユニット１のフランジ４が、この挿入溝１２に嵌り込
み、同じ向きの収容状態となる。
【００３２】
図１１に示すように、収容室６の左右両側では、梱包箱５の左右には左右立壁７Ａ、７
Ｂが存在することによって、収容室６と外箱８との間に左右立壁７Ａ、７Ｂの幅相当の間
隔Ｆ３が形成され、また、収容室６の前後側では、梱包箱５の前後側の横仕切り体９と外
箱８の前後壁８Ｅ、８Ｆとの間に間隔Ｆ１、Ｆ２が形成される。これら間隔Ｆ１、Ｆ２、
Ｆ３は略同じ寸法になるように構成されている。このように、収容室６の左右両側及び前
後に、外箱８との間に所定の間隔が形成されることによって、電気回路基板ユニット１を
梱包した梱包箱５の開梱作業において、万一カッターナイフで外箱８の周囲を切断して開
梱する場合でも、これらの間隔によって、収容室６に収容した電気回路基板ユニット１へ
カッターナイフが届き難くなり、電気回路基板ユニット１が傷つけられる虞が少なくなり
、開梱作業時の電気回路基板ユニット１の保護効果が得られるものとなる。
【産業上の利用可能性】
【００３３】
本発明は、電気回路部品が取り付けられたプリント配線基板が保護ケースに収容された
電気回路基板ユニットの梱包装置として、上記実施例に示した図示の形態に限らず、本発
明の技術範囲において、種々の構成を包含するものである。
【符号の説明】
【００３４】
１・・・・・電気回路基板ユニット
２・・・・・プリント配線基板
３・・・・・保護ケース
３Ａ・・・・ケース本体部
３Ｂ・・・・蓋
４・・・・・取り付けフランジ
５・・・・・梱包箱
６・・・・・収容室
７・・・・・ベース体
７Ａ、７Ｂ・・・ベース体の左右立壁
８・・・・・外箱
８Ａ〜８Ｄ・・・外箱の開閉蓋
８Ｅ、８Ｆ・・・外箱の前後壁
８Ｇ、８Ｈ・・・外箱の左右側壁
９・・・・・横仕切り体
１０・・・・主仕切り体
１０Ｆ・・・基本体
１１・・・・中仕切り体
１１Ｑ・・・中仕切り体のスリット
１１Ｒ・・・中仕切り体のスリット
１２・・・・挿入溝
ＥＰ・・・・電気回路部品
【図１】
0005661403.tif 000002
【図２】
0005661403.tif 000003
【図３】
0005661403.tif 000004
【図４】
0005661403.tif 000005
【図５】
0005661403.tif 000006
【図６】
0005661403.tif 000007
【図７】
0005661403.tif 000008
【図８】
0005661403.tif 000009
【図９】
0005661403.tif 000010
【図１０】
0005661403.tif 000011
【図１１】
0005661403.tif 000012
【図１２】
0005661403.tif 000013
【図１３】
0005661403.tif 000014
【図１４】
0005661403.tif 000015